(57)【要約】【課題】  遊技島のランプ取付板の上下方向の幅寸法よりも大きな寸法の紙幣識別機などの遊技台関連機器を当該ランプ取付板に取り付けるのに適した取付構造を提案すること。【解決手段】  遊技島１の遊技島枠体２のランプ取付板１４の前面には、その上側に配置されている幕板１５の側に突出した状態で、紙幣識別機６が取り付けられている。紙幣識別機６を固定するための固定具７はランプ取付板１４に固定した固定側金具７１と紙幣識別機６の裏面に固定した旋回側金具７２と、旋回側金具７２の旋回角度を制限しているリンク金具７４を備えている。幕板１５を開く際には、固定具７によって紙幣識別機６を、幕板１５の旋回軌跡から外側に外れた退避位置６Ｂに移動させることができる。よって、ランプ取付板１４の上下方向の幅寸法１４Ｈよりも大きい高さ寸法の紙幣識別機６などの遊技台関連機器をランプ取付板１４に取り付け可能になる。【選択図】  図１
2005143933.tif 000002
【特許請求の範囲】
【請求項１】
各遊技台の上側に配置されたランプ取付板と当該ランプ取付板の上側に配置された開閉可能な幕板とを有する遊技島における前記ランプ取付板に紙幣識別機などの遊技台関連機器を取り付ける遊技台関連機器の取付構造であって、
前記遊技台関連機器を前記ランプ取付板に固定している固定具を有し、
前記固定具によって、前記遊技台関連機器は、前記ランプ取付板に固定した固定位置と、前記幕板の開閉に干渉しない退避位置とに移動可能な状態で前記ランプ取付板に連結されている遊技台関連機器の取付構造。
【請求項２】
請求項１において、
前記幕板は上端を中心として垂直な閉じ位置と前方に所定の角度だけ開いた開き位置との間を旋回可能であり、
前記遊技台関連機器の前記退避位置は前記幕板の旋回軌跡から外れた位置である遊技台関連機器の取付構造。
【請求項３】
請求項２において、
前記固定具は、前記遊技台関連機器の下端部分を中心として、垂直に起立した起立姿勢と前方に所定の角度だけ傾斜した前傾姿勢との間で旋回可能な状態で前記遊技台関連機器を前記ランプ取付板に連結しており、
前記固定位置では前記遊技台関連機器が前記起立姿勢となり、前記退避位置では前記遊技台関連機器が前記前傾姿勢となる遊技台関連機器の取付構造。
【請求項４】
請求項１、２または３において、
前記固定具は、前記ランプ取付板の前面と前記幕板の前面との段差に起因して前記固定位置にある前記遊技台関連機器が前記幕板に干渉することを回避するための段差調整用部材を備えている遊技台関連機器の取付構造。
【請求項５】
遊技島枠体と、
前記遊技島枠体に取り付けられた遊技台と、
前記遊技台の上側に配置されているランプ取付板と、
前記ランプ取付板の上側位置において開閉可能な状態で配置されている幕板と、
紙幣識別機などの遊技台関連機器とを有し、
前記遊技台関連機器が請求項１ないし４のうちのいずれかの項に記載の取付構造によって前記ランプ取付板に取り付けられている遊技島。
【発明の詳細な説明】
【技術分野】
【０００１】
本発明は複数台の遊技台が配列された構造の遊技島に関し、特に、遊技台の上側に配置されているランプ取付板に紙幣識別機などの遊技台関連機器を取り付けるための取付機構に関するものである。
【背景技術】
【０００２】
パチンコ店などの遊技店においてはパチンコ台などの遊技台が配列された構成の遊技島が設置されている。遊技島は、木枠などから構成した遊技島枠体と、そこに取り付けた多数の遊技台と、各遊技台の隣接位置において遊技島枠体に取り付けた台間機とを備えている。遊技台の裏面側にはパチンコ玉などの遊技媒体の搬送機構や紙幣・硬貨の搬送機構などが配置されている。また、遊技台の上側にはランプ取付板が遊技島枠体に取り付けられており、ランプ取付板の前面における各遊技台の上側位置には、遊技台の履歴情報や遊技台が使用可能であるか否かなどを表示するための表示ランプが取り付けられている。さらに、ランプ取付板の上側には幕板が遊技島枠体に取り付けられている。幕板は一般に上端を中心として前方に開けることが可能となっており、ここを開けることにより、遊技島内部に配置されている搬送機構などの点検や、遊技島内部に機器を設置することが可能となっている。
【０００３】
遊技台に隣接配置されている台間機としては、磁気カード、ＩＣカードなどを用いて遊技媒体を貸し出すことが可能なもの、紙幣、硬貨の識別機および収納部を備え、現金を用いて遊技媒体を貸し出すことが可能なもの、あるいは、それらの双方を用いることが可能なものが知られている。紙幣識別部および紙幣収納部を備えた台間機は例えば下記の特許文献１に開示されている。
【０００４】
ここで、カードのみを使用可能な台間機に紙幣による貸し出し機能を付加する方法として、台間機の上側におけるランプ取付板表面の空いた部分を利用して、紙幣収納部を備えた紙幣識別機を外付けする方法が提案されている。紙幣識別機を外付けすれば、台間機自体を紙幣の利用が可能なものに交換する必要がないので、費用も安く済む。
【特許文献１】特開２００２−９２４号公報
【発明の開示】
【発明が解決しようとする課題】
【０００５】
しかしながら、紙幣収納部を備えた紙幣識別機の寸法がランプ取付板の上下方向の幅寸法よりも大きい場合には、ランプ取付板に紙幣識別機を固定すると、その上端部分がランプ取付板の上側に配置されている幕板前面部分に達してしまう。これでは幕板を前方に開けることができなくなってしまうので、紙幣識別機をランプ取付板に取り付けることができない。したがって、ランプ取付板の前面に収まる大きさの紙幣識別機しか取り付けることができないという制約がある。同様に、紙幣識別機以外の遊技台関連機器をランプ取付板における表示ランプ間の空き部分に取り付ける場合においても同様な制約がある。
【０００６】
本発明の課題は、このような点に鑑みて、ランプ取付板の上下方向の幅寸法に制約されることなく、紙幣識別機などの遊技台関連機器をランプ取付板に固定することのできる遊技台関連機器の取付構造を提案することにある。
【０００７】
また、本発明の課題は、かかる取付構造によって遊技台関連機器がランプ取付板に固定されている遊技島を提案することにある。
【課題を解決するための手段】
【０００８】
上記の課題を解決するために、本発明は、各遊技台の上側に配置されたランプ取付板と当該ランプ取付板の上側に配置された開閉可能な幕板とを有する遊技島における前記ランプ取付板に紙幣識別機などの遊技台関連機器を取り付ける遊技台関連機器の取付構造であって、前記遊技台関連機器を前記ランプ取付板に固定している固定具を有し、前記固定具によって、前記遊技台関連機器は、前記ランプ取付板に固定した固定位置と、前記幕板の開閉に干渉しない退避位置とに移動可能な状態で前記ランプ取付板に連結されていることを特徴としている。
【０００９】
ここで、前記幕板は、一般に、上端を中心として垂直な閉じ位置と前方に所定の角度だけ開いた開き位置との間を旋回可能な状態で遊技島枠体に取り付けられている。従って、前記遊技台関連機器の前記退避位置を、前記幕板の旋回軌跡から外れた位置となるように設定すればよい。
【００１０】
この場合には、前記固定具として、前記遊技台関連機器の下端部分を中心として、垂直に起立した起立姿勢と前方に所定の角度だけ傾斜した前傾姿勢との間で旋回可能な状態で前記遊技台関連機器を前記ランプ取付板に連結しているものを用いることができる。また、この場合には、前記固定位置では前記遊技台関連機器を前記起立姿勢とし、前記退避位置では前記遊技台関連機器を前記前傾姿勢とすればよい。
【００１１】
ここで、ランプ取付板に対して幕板が前方に大きくせり出している場合には、当該ランプ取付板の前面と前記幕板の前面との段差に起因して、前記固定位置にある前記遊技台関連機器が前記幕板に干渉するおそれがある。そこで、固定具は、これを回避するための段差調整用部材を備えていることが望ましい。
【００１２】
次に、本発明は遊技島に関するものであり、本発明による遊技島は、遊技島枠体と、
前記遊技島枠体に取り付けられた遊技台と、前記遊技台の上側に配置されているランプ取付板と、前記ランプ取付板の上側位置において開閉可能な状態で配置されている幕板と、
紙幣識別機などの遊技台関連機器とを有し、前記遊技台関連機器が上記の取付構造によって前記ランプ取付板に取り付けられていることを特徴としている。
【発明の効果】
【００１３】
本発明では、遊技島のランプ取付板に固定した紙幣識別機などの遊技台関連機器が、幕板の開閉に干渉しない退避位置に移動可能になっている。従って、ランプ取付板の上下方向の幅寸法に制約されることなく、それよりも大きな寸法の遊技台関連機器をランプ取付板の前面に取り付けることが可能になる。
【発明を実施するための最良の形態】
【００１４】
以下に、図面を参照して、本発明を適用した遊技島の一例を説明する。
【００１５】
図１（ａ）および（ｂ）は、パチンコ店などの遊技店に設置された遊技島の部分正面図および側面構成図である。遊技島１は、遊技島枠体２と、この遊技島枠体２に取り付けた複数のパチンコ台などの遊技台３と、同じく遊技島枠体２に取り付けた複数の台間機４とを有している。台間機４は遊技台３の隣接位置および各遊技台３の間に配置されており、隣接する遊技台３（図示の例では向かって右隣の遊技台）に対するパチンコ玉などの遊技媒体の貸し出しを行う。
【００１６】
遊技島枠体２は一般的に知られている構成のものであり、縦木枠１１、上下の横木枠１２、１３などから構成されており、上下の横木枠１２、１３の間に前方から遊技台３および台間機４が組み込まれている。上側の横木枠１２の上側には一定厚さのランプ取付板１４が垂直に取り付けられている。このランプ取付板１４の上側には一定厚さの幕板１５が取り付けられている。幕板１５は、その上端１５ａを中心として前方に開けることが可能な状態で遊技島枠体２に取り付けられている。
【００１７】
ランプ取付板１４の前面には、各遊技台３の真上の部分にそれぞれ表示ランプ５が取り付けられている。表示ランプ５は、各遊技台３が使用可能であるか否か、各遊技台３の出玉状態などの遊技履歴などを表示するためのものである。本例では、ランプ取付板１４の前面における各表示ランプ５の間の空き部分に、それぞれ紙幣収納部を備えた紙幣識別機６が取り付けられている。紙幣識別機６の高さ寸法６Ｈは、ランプ取付板１４の上下方向の幅寸法１４Ｈよりも大きく、その下端６ａがランプ取付板１４の下端よりも僅かに上側に位置するように、固定具７によってランプ取付板１４の前面１４ａに取り付けられている。従って、紙幣識別機６の上端部分６ｂは幕板１５の下端部分１５ｂの前面に重なった状態となっている。
【００１８】
本例では、固定具７によって、紙幣識別機６が、ランプ取付板１４に固定した固定位置６Ａと、幕板１５の開閉に干渉しない退避位置６Ｂとに移動可能な状態でランプ取付板１４に連結されている。前述のように、幕板１５は、その上端１５ａを中心として垂直状態の閉じ位置１５Ａと前方に所定の角度だけ開いた開き位置との間を旋回可能な状態で遊技島枠体２に取り付けられている（図においては途中まで開けた状態を想像線で示してある。）。従って、紙幣識別機６の退避位置６Ｂが幕板１５の旋回軌跡１５Ｃから外れた位置となるように設定されている。
【００１９】
すなわち、固定具７によって、紙幣識別機６は、その下端６ａを中心として、垂直に起立した起立姿勢と前方に所定の角度だけ傾斜した前傾姿勢との間で旋回可能な状態でランプ取付板１４に連結されている。紙幣識別機６は、その固定位置６Ａでは起立姿勢とされ、その退避位置６Ｂでは前傾姿勢になる。
【００２０】
図２は固定具７を用いた紙幣識別機６の取付構造を示す説明図であり、（ａ）は紙幣識別機６が起立姿勢の固定位置６Ａにある場合を示し、（ｂ）は紙幣識別機６が前傾姿勢となった退避位置６Ｂにある場合を示す。固定具７は、ランプ取付板１４の前面１４ａに締結ねじなどによって固定した固定側金具７１と、紙幣識別機６の裏面６ｃに着脱可能な状態で固定した旋回側金具７２とを備えている。旋回側金具７２は、固定側金具７１の下端部分７１ａに支持されている旋回軸７３を中心として、固定側金具７１に収まった固定位置７２Ａと前方に所定の角度だけ傾斜した開き位置７２Ｂとの間を旋回自在である。
【００２１】
また、これら固定側金具７１および旋回側金具７２の側部はリンク金具７４によって相互に連結されている。リンク金具７４の一端７４ａは、固定側金具７１の側部における定まった位置に、水平軸線の回りに回転可能な状態で取り付けられている。リンク金具７４の他端７４ｂは、旋回側金具７２の側部においてその長辺方向に向けて所定の範囲内でスライド可能且つ水平軸線の回りに回転可能な状態で取り付けられている。従って、リンク金具７４の取付位置、そのスライド範囲を適切に設定することにより、図２（ｂ）に示すように、所定角度だけ前方に開いた開き位置７２Ｂに旋回側金具７２を固定できる。
【００２２】
なお、本例では、旋回側金具７２の前面には上下一対の上方に開口したフック差込溝７２ａ、７２ｂが形成されている。紙幣識別機６の裏面６ｃには、フック差込溝７２ａ、７２ｂに上側から差込可能なフック６１、６２が形成されている。従って、旋回側金具７２に対して紙幣識別機６を簡単な操作により取り付けることができる。また、固定側金具７１と旋回側金具７２の間には、旋回側金具７２をその固定位置７２Ａにロックするためのロック機構（図示せず）が備わっている。
【００２３】
ここで、本例の固定具７の厚さは、ランプ取付板１４の前面１４ａと、幕板１５の前面１５ｃの段差よりもわずかに大きな寸法とされている。従って、固定具７によって紙幣識別機６がランプ取付板１４の前面１４ａに取り付けられ、垂直に起立した固定位置６Ａの状態では、図２（ａ）に示すように、紙幣識別機６の上端部分の裏面が幕板１５の前面１５ａから僅かに浮いた状態になる。よって、ランプ取付板１４よりも前方にせり出している幕板１５に邪魔されることなく、紙幣識別機６を垂直に起立した固定位置６Ａに保持することができる。ランプ取付板１４と幕板１５の段差が大きい場合あるいは小さい場合には、そのような段差に対応した厚さの固定具７を用意しておき、最も適した厚さの固定具７を用いればよい。
【００２４】
次に、遊技島１の内部の保守点検などのために幕板１５を開ける場合には、固定具７のロックを解除する。ロックが解除されると、紙幣識別機６に固定されている旋回側金具７２が前方に向けて所定の角度だけ旋回する。よって、図２（ｂ）に示すように、紙幣識別機６が前傾姿勢となった退避位置６Ｂとなる。この結果、紙幣識別機６が幕板１５の下端の旋回軌跡１５Ｃから外側に外れるので、幕板１５を前方に開けることができる。作業終了後に幕板１５を閉じた後は、紙幣識別機６を起立姿勢となるように起こし、固定具７の旋回側金具７２をロックすれば、再び、図２（ａ）に示す通常の状態に戻る。
【００２５】
なお、ランプ取付板１４と幕板１５の段差が大きい場合には、固定具７の固定側金具７１とランプ取付板１４の間に、段差調整用金具を装着してもよい。例えば、図３に示すように、ランプ取付板１４と幕板１５の段差Ｓが大きい場合には、固定具７Ａとして、上記構成の固定具７と、当該固定具７の固定側金具７１の裏面に固定可能な段差調整用金具７７とを備えたものを用いることができる。段差調整用金具７７として各種の厚さのものを用意しておけば、ランプ取付板１４と幕板１５の段差の大小に対応できる。段差調整用金具７７は、一般には固定側金具７１とランプ取付板１４の間に挿入すればよいが、旋回側金具７２と紙幣識別機６の間に挿入しても同様な効果が得られる。
【００２６】
また、固定具としては上記の開閉式の固定具７の代わりに、別の構造のものを用いることも可能である。いずれの場合にも、紙幣識別機６が退避位置６Ｂに到ると、それが幕板１５の旋回軌跡から外側に外れるように、当該紙幣識別機６を移動できるものであればよい。
【００２７】
さらに、上記の例は遊技台関連機器として紙幣識別機を例に挙げて説明したが、紙幣識別機以外の遊技台関連機器をランプ取付板に取り付ける場合においても、本発明を同様に適用できることは勿論である。
【図面の簡単な説明】
【００２８】
【図１】（ａ）は本発明を適用した遊技島を示す部分正面図であり、（ｂ）はその側面構成図である。
【図２】図１の遊技島における紙幣識別機の取付構造を示す説明図であり、（ａ）は紙幣識別機が起立姿勢となっている固定位置にある状態を示し、（ｂ）は紙幣識別機が前傾姿勢となった退避位置を示す。
【図３】段差調整金具を備えた固定具の例を示す説明図である。
【符号の説明】
【００２９】
１    遊技島
２    遊技島枠体
３    遊技台
４    台間機
５    表示ランプ
６    紙幣識別機
６Ａ  固定位置
６Ｂ  退避位置
７、７Ａ  固定具
１４  ランプ取付板
１５  幕板
７１  固定側金具
７２  旋回側金具
７３  旋回軸
７４  リンク金具
７７  段差調整用金具
【図１】
2005143933.tif 000003
【図２】
2005143933.tif 000004
【図３】
2005143933.tif 000005